【手続補正書】
【提出日】平成20年1月29日(2008.1.29)
【手続補正１】
【補正対象書類名】特許請求の範囲
【補正対象項目名】全文
【補正方法】変更
【補正の内容】
【特許請求の範囲】
【請求項１】
光源からの光が入力される入力部と、
前記入力部からの光を３方向以上に分割して放射状に反射させるための３個以上の反射面を有する第１反射部と、
前記第１反射部のそれぞれの反射面からの光を前記光源の主光軸方向に反射させるために、前記第１反射部の３個以上の反射面に対応して前記第１反射部の反射面と同数だけ設けられた３個以上の反射面を有する第２反射部と、
前記第２反射部のそれぞれの反射面からの光を照射するために、前記第２反射部の３個以上の反射面に対応して前記第２反射部の反射面と同数だけ設けられた３個以上の照射面を有する照射部とを具備し、
前記光源の主光軸を中心とする円周上に前記照射部の３個以上の照射面を互いに離間させて配置し、
前記第１反射部から前記照射部の３個以上の照射面までの３つ以上の光路のそれぞれが、前記光源の主光軸を中心として互いに回転対称な関係になるように、前記第２反射部の３個以上の反射面および前記照射部の３個以上の照射面を配置し、
前記第１反射部の３個以上の反射面のうちの一の反射面から、その反射面に対応して設けられた前記第２反射部の反射面まで延びている光路と、前記第１反射部の３個以上の反射面のうちの他の反射面から、その反射面に対応して設けられた前記第２反射部の反射面まで延びている光路との間に、光学的な絶縁空間を配置したことを特徴とするレンズ。
【請求項２】
前記第１反射部の３個以上の反射面のうちの一の反射面から、その反射面に対応して設けられた前記第２反射部の反射面まで延びている光路を概略柱状の部分によって形成し、前記第１反射部の３個以上の反射面のうちの他の反射面から、その反射面に対応して設けられた前記第２反射部の反射面まで延びている光路を前記第１反射部の位置で前記概略柱状の部分から分岐している他の概略柱状の部分によって形成したことを特徴とする請求項１に記載のレンズ。
【請求項３】
前記第２反射部の３個以上の反射面のうちの一の反射面から、その反射面に対応して設けられた前記照射部の照射面まで延びている光路と、前記第２反射部の３個以上の反射面のうちの他の反射面から、その反射面に対応して設けられた前記照射部の照射面まで延びている光路との間に、光学的な絶縁空間を配置したことを特徴とする請求項１又は２に記載のレンズ。
【請求項４】
前記第２反射部の３個以上の反射面のうちの一の反射面から、その反射面に対応して設けられた前記照射部の照射面まで延びている光路を概略柱状の部分によって形成し、前記第２反射部の３個以上の反射面のうちの他の反射面から、その反射面に対応して設けられた前記照射部の照射面まで延びている光路を他の概略柱状の部分によって形成したことを特徴とする請求項３に記載のレンズ。
【請求項５】
前記光源からの光を透過させるための光透過部を前記光源の主光軸上に設け、前記光透過部を包囲するように前記第１反射部を配置し、前記入力部からの光を６方向に分割して放射状に反射させるために前記第１反射部に６個の反射面を設け、前記第１反射部の６個の反射面が前記光源の主光軸を中心として６０°の回転対称な関係になるように、前記第１反射部の６個の反射面を配置したことを特徴とする請求項１〜４のいずれか一項に記載のレンズ。
【請求項６】
前記照射部の各照射面からの照射光と、前記光透過部の照射面からの照射光とが均一になるように、前記光透過部の光透過量を設定したことを特徴とする請求項５に記載のレンズ。
【手続補正２】
【補正対象書類名】明細書
【補正対象項目名】発明の名称
【補正方法】変更
【補正の内容】
【発明の名称】レンズ
【手続補正３】
【補正対象書類名】明細書
【補正対象項目名】０００１
【補正方法】変更
【補正の内容】
【０００１】
本発明は、１つの光源からの光を反射させることによって複数の照射光が散点的に見えるようにしつつ、複数の照射光のそれぞれがすべて均一に見えるようにすることができるレンズに関する。
【手続補正４】
【補正対象書類名】明細書
【補正対象項目名】０００２
【補正方法】変更
【補正の内容】
【０００２】
詳細には、本発明のレンズは、例えば車両用、遊技機用、照明用、装飾用などのために用いられる。
【手続補正５】
【補正対象書類名】明細書
【補正対象項目名】０００９
【補正方法】変更
【補正の内容】
【０００９】
前記問題点に鑑み、本発明は、１つの光源からの光を反射させることによって複数の照射光が散点的に見えるようにしつつ、複数の照射光のそれぞれがすべて均一に見えるようにすることができるレンズを提供することを目的とする。
【手続補正６】
【補正対象書類名】明細書
【補正対象項目名】００１０
【補正方法】変更
【補正の内容】
【００１０】
請求項１に記載の発明によれば、光源からの光が入力される入力部と、前記入力部からの光を３方向以上に分割して放射状に反射させるための３個以上の反射面を有する第１反射部と、前記第１反射部のそれぞれの反射面からの光を前記光源の主光軸方向に反射させるために、前記第１反射部の３個以上の反射面に対応して前記第１反射部の反射面と同数だけ設けられた３個以上の反射面を有する第２反射部と、前記第２反射部のそれぞれの反射面からの光を照射するために、前記第２反射部の３個以上の反射面に対応して前記第２反射部の反射面と同数だけ設けられた３個以上の照射面を有する照射部とを具備し、前記光源の主光軸を中心とする円周上に前記照射部の３個以上の照射面を互いに離間させて配置し、前記第１反射部から前記照射部の３個以上の照射面までの３つ以上の光路のそれぞれが、前記光源の主光軸を中心として互いに回転対称な関係になるように、前記第２反射部の３個以上の反射面および前記照射部の３個以上の照射面を配置し、前記第１反射部の３個以上の反射面のうちの一の反射面から、その反射面に対応して設けられた前記第２反射部の反射面まで延びている光路と、前記第１反射部の３個以上の反射面のうちの他の反射面から、その反射面に対応して設けられた前記第２反射部の反射面まで延びている光路との間に、光学的な絶縁空間を配置したことを特徴とするレンズが提供される。
【手続補正７】
【補正対象書類名】明細書
【補正対象項目名】００１１
【補正方法】変更
【補正の内容】
【００１１】
請求項２に記載の発明によれば、前記第１反射部の３個以上の反射面のうちの一の反射面から、その反射面に対応して設けられた前記第２反射部の反射面まで延びている光路を概略柱状の部分によって形成し、前記第１反射部の３個以上の反射面のうちの他の反射面から、その反射面に対応して設けられた前記第２反射部の反射面まで延びている光路を前記第１反射部の位置で前記概略柱状の部分から分岐している他の概略柱状の部分によって形成したことを特徴とする請求項１に記載のレンズが提供される。
【手続補正８】
【補正対象書類名】明細書
【補正対象項目名】００１２
【補正方法】変更
【補正の内容】
【００１２】
請求項３に記載の発明によれば、前記第２反射部の３個以上の反射面のうちの一の反射面から、その反射面に対応して設けられた前記照射部の照射面まで延びている光路と、前記第２反射部の３個以上の反射面のうちの他の反射面から、その反射面に対応して設けられた前記照射部の照射面まで延びている光路との間に、光学的な絶縁空間を配置したことを特徴とする請求項１又は２に記載のレンズが提供される。
【手続補正９】
【補正対象書類名】明細書
【補正対象項目名】００１３
【補正方法】変更
【補正の内容】
【００１３】
請求項４に記載の発明によれば、前記第２反射部の３個以上の反射面のうちの一の反射面から、その反射面に対応して設けられた前記照射部の照射面まで延びている光路を概略柱状の部分によって形成し、前記第２反射部の３個以上の反射面のうちの他の反射面から、その反射面に対応して設けられた前記照射部の照射面まで延びている光路を他の概略柱状の部分によって形成したことを特徴とする請求項３に記載のレンズが提供される。
【手続補正１０】
【補正対象書類名】明細書
【補正対象項目名】００１４
【補正方法】変更
【補正の内容】
【００１４】
請求項５に記載の発明によれば、前記光源からの光を透過させるための光透過部を前記光源の主光軸上に設け、前記光透過部を包囲するように前記第１反射部を配置し、前記入力部からの光を６方向に分割して放射状に反射させるために前記第１反射部に６個の反射面を設け、前記第１反射部の６個の反射面が前記光源の主光軸を中心として６０°の回転対称な関係になるように、前記第１反射部の６個の反射面を配置したことを特徴とする請求項１〜４のいずれか一項に記載のレンズが提供される。
【手続補正１１】
【補正対象書類名】明細書
【補正対象項目名】００１５
【補正方法】変更
【補正の内容】
【００１５】
請求項６に記載の発明によれば、前記照射部の各照射面からの照射光と、前記光透過部の照射面からの照射光とが均一になるように、前記光透過部の光透過量を設定したことを特徴とする請求項５に記載のレンズが提供される。
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２８
【補正方法】変更
【補正の内容】
【００２８】
この点に鑑み、請求項１及び２に記載のレンズでは、第１反射部の３個以上の反射面のうちの一の反射面から、その反射面に対応して設けられた第２反射部の反射面まで延びている光路と、第１反射部の３個以上の反射面のうちの他の反射面から、その反射面に対応して設けられた第２反射部の反射面まで延びている光路との間に、光学的な絶縁空間が配置されている。詳細には、第１反射部の３個以上の反射面のうちの一の反射面から、その反射面に対応して設けられた第２反射部の反射面まで延びている光路が、概略柱状の部分によって形成され、第１反射部の３個以上の反射面のうちの他の反射面から、その反射面に対応して設けられた第２反射部の反射面まで延びている光路が、第１反射部の位置でその概略柱状の部分から分岐している他の概略柱状の部分によって形成されている。そのため、第１反射部の３個以上の反射面のうちの一の反射面から、その反射面に対応して設けられた第２反射部の反射面まで延びている光路の外からその光路内に光が流入したり、あるいは、その光路内からその光路外に光が流出したりするおそれを低減することができる。
【手続補正２０】
【補正対象書類名】明細書
【補正対象項目名】００３０
【補正方法】変更
【補正の内容】
【００３０】
この点に鑑み、請求項３及び４に記載のレンズでは、第２反射部の３個以上の反射面のうちの一の反射面から、その反射面に対応して設けられた照射部の照射面まで延びている光路と、第２反射部の３個以上の反射面のうちの他の反射面から、その反射面に対応して設けられた照射部の照射面まで延びている光路との間に、光学的な絶縁空間が配置されている。詳細には、第２反射部の３個以上の反射面のうちの一の反射面から、その反射面に対応して設けられた照射部の照射面まで延びている光路が、概略柱状の部分によって形成され、第２反射部の３個以上の反射面のうちの他の反射面から、その反射面に対応して設けられた照射部の照射面まで延びている光路が、他の概略柱状の部分によって形成されている。そのため、第２反射部の３個以上の反射面のうちの一の反射面から、その反射面に対応して設けられた照射部の照射面まで延びている光路の外からその光路内に光が流入したり、あるいは、その光路内からその光路外に光が流出したりするおそれを低減することができる。
【手続補正２１】
【補正対象書類名】明細書
【補正対象項目名】００３１
【補正方法】変更
【補正の内容】
【００３１】
請求項５及び６に記載のレンズでは、光源からの光を透過させるための光透過部が第１反射部に包囲されるように光源の主光軸上に設けられ、第１反射部には、入力部からの光を６方向に分割して放射状に反射させるために６個の反射面が設けられ、第１反射部の６個の反射面が、光源の主光軸を中心として６０°の回転対称な関係になるように、配置されている。詳細には、照射部の６個の照射面のそれぞれからの照射光と、光透過部の照射面からの照射光とが均一になるように、光透過部の光透過量が設定されている。そのため、１つの光源によって、正六角形の６個の頂点およびその中心点の合計７点から均一な光を照射させることができる。その結果、例えば一のレンズの２つの照射面と他のレンズの１つの照射面とによって正三角形が形成されるように、請求項３及び４に記載のレンズを複数配列することにより、レンズの数の７倍の数の等間隔に配列されたすべての点から均一な光を照射させることができる。
【手続補正２２】
【補正対象書類名】明細書
【補正対象項目名】００３２
【補正方法】変更
【補正の内容】
【００３２】
請求項１〜６に記載のレンズでは、好ましくは、照射部の各照射面及び／又は光透過部の照射面が凸状または凹状に形成されている。そのため、照射部の各照射面及び／又は光透過部の照射面から放射状に光を照射させることができる。それにより、光源の主光軸上以外の位置からも、複数の照射光が散点的に見えるようにしつつ、複数の照射光のそれぞれがすべて均一に見えるようにすることができる。
【手続補正２３】
【補正対象書類名】明細書
【補正対象項目名】００３３
【補正方法】変更
【補正の内容】
【００３３】
請求項１〜６に記載のレンズでは、好ましくは、照射部の各照射面及び／又は光透過部の照射面の外形が多角形に形成されている。そのため、照射部の各照射面及び／又は光透過部の照射面の外形が円形に形成されたり、あるいは、米国特許第６０９７５４９号明細書の図１等に記載されたレンズのように照射部の照射面が環状に形成されたりしている場合よりも、照射部の各照射面及び／又は光透過部の照射面から放射せしめられる光の配光制御を容易にすることができる。
【手続補正２４】
【補正対象書類名】明細書
【補正対象項目名】００３４
【補正方法】変更
【補正の内容】
【００３４】
請求項１〜６に記載のレンズでは、好ましくは、光源のカバーと入力部とが一体的に形成されている。そのため、光源のカバーと入力部とが別個に形成されている場合よりも、光源およびレンズの組立コストを低減することができる。
【手続補正２５】
【補正対象書類名】明細書
【補正対象項目名】００３５
【補正方法】変更
【補正の内容】
【００３５】
請求項１〜６に記載のレンズでは、好ましくは、第１反射部の各反射面が平面によって形成され、第２反射部の各反射面が、所定の軸線を中心に放物線を回転させることにより得られた放物面によって形成されている。つまり、光源の主光軸に近く、加工がしづらい比較的狭い領域に配置された第１反射部の各反射面が、比較的精度を出しやすい平面によって形成され、光源の主光軸から離れており、加工がしやすい比較的広い領域に配置された第２反射部の各反射面が、比較的精度を出しづらい放物面によって形成されている。そのため、第１反射部の各反射面が放物面によって形成され、第２反射部の各反射面が平面によって形成されている場合よりも、製造コストを抑制しつつ、第１反射部の反射面および第２反射部の反射面の精度を向上させることができる。
【手続補正２６】
【補正対象書類名】明細書
【補正対象項目名】００３６
【補正方法】変更
【補正の内容】
【００３６】
好ましくは、請求項１〜６に記載のレンズが適用されたレンズユニットでは、複数のレンズが連結され、隣接する２つのレンズのうちの、一方のレンズの１つまたは２つの照射面と、他方のレンズの１つまたは２つの照射面とが共用されている。そのため、複数のレンズがそれぞれ別個に取り付けられて灯具が組み立てられる場合よりも灯具の組立性を向上させることができる。
【手続補正２７】
【補正対象書類名】明細書
【補正対象項目名】００３７
【補正方法】削除
【補正の内容】